【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
（a）少なくとも1種の第一モノマーと、
トリスアリール-1,3,5-トリアジン部分を含む少なくとも1種の第二モノマーと
を含む混合物を重合させる段階；
（b）コポリマーから光学部を形成する段階
を含む、370 nmの紫外線の透過率を低減させることが可能な眼内レンズを作製する方法であって、
第二モノマーが、370 nmの紫外線の透過率を10パーセントまたはそれ以下に低減させるのに十分な量で存在し；かつ第二モノマーの量が、紫外線の透過率以外の該レンズの物理的特性に実質的に影響を及ぼさない、
前記方法。
【請求項２】
実質的に影響を受けない物理的特性が屈折率、含水率、およびガラス転移温度のうちの少なくとも1つ、好ましくは光学部の屈折率および/または含水率である、請求項1記載の方法。
【請求項３】
第二モノマーが、段階（a）において重合される乾燥混合物全体に対して約0.10〜約0.20重量パーセント、好ましくは約0.13〜約0.17重量パーセント存在する、請求項1記載の方法。
【請求項４】
段階（a）の混合物が、少なくとも2種の第一モノマーを含有し、得られるポリマーが、約5パーセントまたはそれ以下の含水率を有する、請求項1記載の方法。
【請求項５】
段階（a）の混合物が、少なくとも2種の第一モノマーを含有し、得られるポリマーが、約20パーセント〜約30パーセントの含水率を有する、請求項1記載の方法。
【請求項６】
段階（a）が少なくとも2種の第一モノマー、好ましくはアクリレート部分またはメタクリレート部分と、該アクリレート部分またはメタクリレート部分のOに共有結合した少なくとも1つの追加的部分とを含む、請求項3記載の方法。
【請求項７】
第二モノマーが式（II）によって表される、請求項3記載の方法：
2015502764.tif 000001
式中、XがHまたはCH3である。
【請求項８】
前記眼内レンズが、波長約370 nmの紫外線について6パーセントまたはそれ以下の透過率を有する、請求項3記載の方法。
【請求項９】
第二モノマーが、ポリマー全体に対して約0.13〜約0.17重量パーセント存在する、請求項3記載の方法。
【請求項１０】
少なくとも1種の第二モノマーが4-(4,6-ジフェニル-1,3,5-トリアジン-2-イル)-3-ヒドロキシフェノキシ部分を含み、4-(4,6-ジフェニル-1,3,5-トリアジン-2-イル)-3-ヒドロキシフェノキシ部分を含む該モノマーが、乾燥ポリマー全体の0.10〜0.15重量パーセントを構成する、請求項1記載の方法。
【請求項１１】
前記レンズが折り畳み可能な眼内レンズであり、該折り畳み可能な眼内レンズが、波長約370 nmの紫外線について9パーセントまたはそれ以下の透過率、好ましくは6パーセントまたはそれ以下の透過率を有する、請求項10記載の方法。
【請求項１２】
前記第一モノマーが、メチルメタクリレートおよびエチレングリコールジメタクリレートを含まない、またはメチルメタクリレートおよびエチレングリコールジメタクリレートからなるものではない、請求項1記載の方法。
【請求項１３】
第二モノマーが式（I）によって表される、請求項1記載の方法：
2015502764.tif 000002
式中、
Lが、1つ、2つ、3つ、または4つのヒドロキシ、ハロゲン、アミン、トリフルオロメチル、(C1〜C5)アルコキシ、または(C1〜C5)直鎖もしくは分岐鎖アルキルによって置換されていてもよいC1〜C5アルキルであり、該(C1〜C5)直鎖または分岐鎖アルキルは、1つ、2つ、3つ、または4つのヒドロキシ、ハロゲン、アミン、(C1〜C5)アルコキシ、またはトリフルオロメチルによって置換されていてもよく、かつAがアクリレート、メタクリレート、アクリルアミド、またはメタクリルアミドであり、かつLが、Aの酸素原子または窒素原子によってAと共有結合しており、
好ましくは、Lが、1つ、2つ、3つ、または4つのヒドロキシ部分によって置換されたC1〜C5アルキルであり、かつAがアクリレートまたはメタクリレートであり、
より好ましくは、Lが、1つのヒドロキシ部分によって置換されたC1〜C5アルキルであり、かつAがアクリレートまたはメタクリレートであり、
さらにより好ましくは、Lが、1つのヒドロキシ部分によって置換されたC3アルキルであり、かつAがアクリレートまたはメタクリレートであり、かつ
最も好ましくは、Lが式-CH2CH(OH)CH2-によって表され、かつAがアクリレートまたはメタクリレートであり、かつ最も好ましくは、第二モノマーが式（III）
2015502764.tif 000003
によって表され、式中、XがHまたはCH3である。
【請求項１４】
（a）1種の第一モノマーと、
（b）4-(4,6-ジフェニル-1,3,5-トリアジン-2-イル)-3-ヒドロキシフェノキシ部分を含み、乾燥ポリマー全体に対して約0.05〜約0.20重量パーセント存在する第二モノマーと
を少なくとも含む少なくとも1種のコポリマーを含む、折り畳み可能な眼内レンズまたはレンズブランクであって、
該折り畳み可能な眼内レンズまたはレンズブランクの370 nmの紫外線の透過率が少なくとも90%低減されており、かつ該眼内レンズの光学部が、第二モノマーを欠くがそれ以外は同一の組成である重合された（a）の混合物から形成された眼内レンズの光学部と本質的に同じ屈折率を示す、
前記折り畳み可能な眼内レンズまたはレンズブランク。
【請求項１５】
第二モノマーが、乾燥ポリマー全体に対して約0.13〜約0.17重量パーセント存在する、請求項14記載のレンズ。
【請求項１６】
第二モノマーが、370 nmの照射に対して少なくとも3000 M-1cm-1の吸光係数を有する、請求項14載のレンズ。
【請求項１７】
波長約370 nmの紫外線について9パーセントまたはそれ以下の透過率、好ましくは6パーセントまたはそれ以下の透過率を有する、請求項14記載のレンズ。
【請求項１８】
第二モノマーが式（I）によって表される、請求項14記載のレンズ：
2015502764.tif 000004
式中、
Lが、1つ、2つ、3つ、または4つのヒドロキシ、ハロゲン、アミン、トリフルオロメチル、(C1〜C5)アルコキシ、または(C1〜C5)直鎖もしくは分岐鎖アルキルによって置換されていてもよいC1〜C5アルキルであり、該(C1〜C5)直鎖または分岐鎖アルキルは、1つ、2つ、3つ、または4つのヒドロキシ、ハロゲン、アミン、(C1〜C5)アルコキシ、またはトリフルオロメチルによって置換されていてもよく、かつAがアクリレート、メタクリレート、アクリルアミド、またはメタクリルアミドであり、かつLが、Aの酸素原子または窒素原子によってAと共有結合しており、
好ましくは、Lが、1つ、2つ、3つ、または4つのヒドロキシ部分によって置換されたC1〜C5アルキルであり、かつAがアクリレートまたはメタクリレートであり、
より好ましくは、Lが、1つのヒドロキシ部分によって置換されたC1〜C5アルキルであり、かつAがアクリレートまたはメタクリレートであり、
さらにより好ましくは、Lが、1つのヒドロキシ部分によって置換されたC3アルキルであり、かつAがアクリレートまたはメタクリレートであり、かつ
さらにより好ましくは、Lが式-CH2CH(OH)CH2-によって表され、かつAがアクリレートまたはメタクリレートであり、かつ
最も好ましくは、第二モノマーが式（III）
2015502764.tif 000005
によって表され、式中、XがHまたはCH3である。
【手続補正２】
【補正対象書類名】明細書
【補正対象項目名】００１４
【補正方法】変更
【補正の内容】
【００１４】
少なくとも1つの態様に関する少なくとも1つの利点には、本明細書に説明するように、具体化されている組成物の水溶性を、置換アルキルリンカーを第二モノマー中に提供することによって増大させることが含まれる。
[本発明1001]
（a）少なくとも1種の第一モノマーと、
トリスアリール-1,3,5-トリアジン部分を含む少なくとも1種の第二モノマーと
を含む混合物を重合させる段階；
（b）コポリマーから光学部を形成する段階
を含む、370 nmの紫外線の透過率を低減させることが可能な眼内レンズを作製する方法であって、
第二モノマーが、370 nmの紫外線の透過率を10パーセントまたはそれ以下に低減させるのに十分な量で存在し；かつ第二モノマーの量が、紫外線の透過率以外の該レンズの物理的特性に実質的に影響を及ぼさない、
前記方法。
[本発明1002]
実質的に影響を受けない物理的特性が屈折率である、本発明1001の方法。
[本発明1003]
実質的に影響を受けない物理的特性が含水率である、本発明1001の方法。
[本発明1004]
実質的に影響を受けない物理的特性がガラス転移温度である、本発明1001の方法。
[本発明1005]
段階（a）が、少なくとも2種の異なる第一モノマーを含む、本発明1001の方法。
[本発明1006]
段階（a）の第一モノマーが、メチルメタクリレートおよびエチレングリコールジメタクリレートからなるものではない、本発明1001の方法。
[本発明1007]
第二モノマーが式（I）によって表される、本発明1001の方法：
2015502764.tif 000006
式中、
Lが、1つ、2つ、3つ、または4つのヒドロキシ、ハロゲン、アミン、トリフルオロメチル、(C1〜C5)アルコキシ、または(C1〜C5)直鎖もしくは分岐鎖アルキルによって置換されていてもよいC1〜C5アルキルであり、該(C1〜C5)直鎖または分岐鎖アルキルは、1つ、2つ、3つ、または4つのヒドロキシ、ハロゲン、アミン、(C1〜C5)アルコキシ、またはトリフルオロメチルによって置換されていてもよく、
Aがアクリレート、メタクリレート、アクリルアミド、またはメタクリルアミドであり、かつLが、Aの酸素原子または窒素原子によってAと共有結合している。
[本発明1008]
第二モノマーが、段階（a）において重合される乾燥混合物全体に対して約0.10〜約0.20重量パーセント存在する、本発明1001の方法。
[本発明1009]
段階（a）の混合物が、少なくとも2種の第一モノマーを含有し、得られるポリマーが、約5パーセントまたはそれ以下の含水率を有する、本発明1001の方法。
[本発明1010]
段階（a）の混合物が、少なくとも2種の第一モノマーを含有し、得られるポリマーが、約20パーセント〜約30パーセントの含水率を有する、本発明1001の方法。
[本発明1011]
（a）少なくとも1種の第一モノマーと、
トリスアリール-1,3,5-トリアジン部分を含む少なくとも1種の第二モノマーと
を含む混合物を重合させる段階；
（b）コポリマーから光学部を形成する段階
を含む、370 nmの紫外線を吸収することが可能な眼内レンズを作製する方法であって、
第二モノマーが、ポリマー全体に対して約0.10〜約0.20重量パーセント存在し；かつ該眼内レンズの該光学部が、第二モノマーを欠くがそれ以外は実質的に同一の条件である重合された（a）の混合物から形成された眼内レンズの光学部と本質的に同じ屈折率を示す、
前記方法。
[本発明1012]
段階（a）が少なくとも2種の第一モノマーを含む、本発明1011の方法。
[本発明1013]
段階（a）の第一モノマーが、アクリレート部分またはメタクリレート部分と、該アクリレート部分またはメタクリレート部分のOに共有結合した少なくとも1つの追加的部分とを含む、本発明1011の方法。
[本発明1014]
第二モノマーが式（II）によって表される、本発明1011の方法：
2015502764.tif 000007
式中、XがHまたはCH3である。
[本発明1015]
前記眼内レンズの前記光学部が、第二モノマーを欠くがそれ以外は同一の条件である重合された（a）の混合物から形成された眼内レンズの光学部と本質的に同じ含水率を示す、本発明1011の方法。
[本発明1016]
前記眼内レンズが、波長約370 nmの紫外線について10パーセントまたはそれ以下の透過率を有する、本発明1011の方法。
[本発明1017]
前記眼内レンズが、波長約370 nmの紫外線について6パーセントまたはそれ以下の透過率を有する、本発明1011の方法。
[本発明1018]
第二モノマーが、ポリマー全体に対して約0.13〜約0.17重量パーセント存在する、本発明1011の方法。
[本発明1019]
第一化合物が、メチルメタクリレートおよびエチレングリコールジメタクリレートからなるものではない、本発明1011の方法。
[本発明1020]
（b）が、眼内レンズブランクを切断するか、切削するか、または切断および切削して、光学部にすることを含む、本発明1011の方法。
[本発明1021]
本発明1001を含む方法によって調製された眼内レンズを対象の眼の中に挿入する段階を含む、個人の視力を矯正するための方法。
[本発明1022]
眼内レンズを眼の中に挿入する前に該眼内レンズを折り畳む段階、および該眼内レンズを該眼の中に挿入した後に該眼内レンズを展開させる段階をさらに含む、本発明1021の方法。
[本発明1023]
（a）4-(4,6-ジフェニル-1,3,5-トリアジン-2-イル)-3-ヒドロキシフェノキシ部分を含むモノマーを、少なくとも1種のポリマーに組み込む段階；および
（b）該ポリマーを、眼内レンズとしての使用に適した材料へと形成する段階
を含む、眼内レンズを通る370 nmの紫外線についてコポリマーの吸光係数を増大させるための方法であって、
4-(4,6-ジフェニル-1,3,5-トリアジン-2-イル)-3-ヒドロキシフェノキシ部分を含む該モノマーが、乾燥ポリマー全体の0.10〜0.15重量パーセントを構成する、
前記方法。
[本発明1024]
（a）4-(4,6-ジフェニル-1,3,5-トリアジン-2-イル)-3-ヒドロキシフェノキシ部分を含むモノマーを、少なくとも1種のポリマーに組み込む段階；および
（b）該ポリマーを、眼内レンズとしての使用に適した材料へと形成する段階
を含む、折り畳み可能な眼内レンズを通る370 nmの紫外線を透過率にして少なくとも90%阻止するための方法であって、
4-(4,6-ジフェニル-1,3,5-トリアジン-2-イル)-3-ヒドロキシフェノキシ部分を含む該モノマーが、乾燥ポリマー全体の0.10〜0.15重量パーセントを構成する、
前記方法。
[本発明1025]
前記モノマーが式（I）によって表される、本発明1024の方法：
2015502764.tif 000008
式中、
Lが、1つ、2つ、3つ、または4つのヒドロキシ、ハロゲン、アミン、トリフルオロメチル、(C1〜C5)アルコキシ、または(C1〜C5)直鎖もしくは分岐鎖アルキルによって置換されていてもよいC1〜C5アルキルであり、該(C1〜C5)直鎖または分岐鎖アルキルは、1つ、2つ、3つ、または4つのヒドロキシ、ハロゲン、アミン、(C1〜C5)アルコキシ、またはトリフルオロメチルによって置換されていてもよく、
Aがアクリレート、メタクリレート、アクリルアミド、またはメタクリルアミドであり、かつLが、Aの酸素原子または窒素原子によってAと共有結合している。
[本発明1026]
前記折り畳み可能な眼内レンズが、波長約370 nmの紫外線について9パーセントまたはそれ以下の透過率を有する、本発明1024の方法。
[本発明1027]
前記折り畳み可能な眼内レンズが、波長約370 nmの紫外線について6パーセントまたはそれ以下の透過率を有する、本発明1024の方法。
[本発明1028]
前記ポリマーが、メチルメタクリレートおよびエチレングリコールジメタクリレートからなるものではない、本発明1024の方法。
[本発明1029]
前記ポリマーが、4-(4,6-ジフェニル-1,3,5-トリアジン-2-イル)-3-ヒドロキシフェノキシ部分を含む前記モノマーを欠くがそれ以外は同一の組成であるポリマーと本質的に同じ屈折率を有する、本発明1024の方法。
[本発明1030]
前記ポリマーが、4-(4,6-ジフェニル-1,3,5-トリアジン-2-イル)-3-ヒドロキシフェノキシ部分を含む前記モノマーを欠くがそれ以外は同一の組成であるポリマーと本質的に同じ含水率を有する、本発明1024の方法。
[本発明1031]
（a）1種の第一モノマーと、
（b）4-(4,6-ジフェニル-1,3,5-トリアジン-2-イル)-3-ヒドロキシフェノキシ部分を含み、乾燥ポリマー全体に対して約0.05〜約0.20重量パーセント存在する第二モノマーと
を少なくとも含む少なくとも1種のコポリマーを含み、370 nmの紫外線を透過率にして少なくとも90%吸収する、折り畳み可能な眼内レンズまたはレンズブランクであって、
該眼内レンズの光学部が、第二モノマーを欠くがそれ以外は同一の組成である重合された（a）の混合物から形成された眼内レンズの光学部と本質的に同じ屈折率を示す、
前記折り畳み可能な眼内レンズまたはレンズブランク。
[本発明1032]
第二モノマーが、乾燥ポリマー全体に対して約0.13〜約0.17重量パーセント存在する、本発明1031のレンズ。
[本発明1033]
第二モノマーが、370 nmの照射に対して少なくとも3000 M-1cm-1の吸光係数を有する、本発明1031のレンズ。
[本発明1034]
波長約370 nmの紫外線について9パーセントまたはそれ以下の透過率を有する、本発明1031のレンズ。
[本発明1035]
波長約370 nmの紫外線について6パーセントまたはそれ以下の透過率を有する、本発明1031のレンズ。
[本発明1036]
第二モノマーが式（I）によって表される、本発明1031のレンズ：
2015502764.tif 000009
式中、
Lが、1つ、2つ、3つ、または4つのヒドロキシ、ハロゲン、アミン、トリフルオロメチル、(C1〜C5)アルコキシ、または(C1〜C5)直鎖もしくは分岐鎖アルキルによって置換されていてもよいC1〜C5アルキルであり、該(C1〜C5)直鎖または分岐鎖アルキルは、1つ、2つ、3つ、または4つのヒドロキシ、ハロゲン、アミン、(C1〜C5)アルコキシ、またはトリフルオロメチルによって置換されていてもよく、
Aがアクリレート、メタクリレート、アクリルアミド、またはメタクリルアミドであり、かつLが、Aの酸素原子または窒素原子によってAと共有結合している。
[本発明1037]
Lが、1つ、2つ、3つ、または4つのヒドロキシ部分によって置換されたC1〜C5アルキルであり、かつAがアクリレートまたはメタクリレートである、本発明1007の方法。
[本発明1038]
Lが、1つのヒドロキシ部分によって置換されたC1〜C5アルキルであり、かつAがアクリレートまたはメタクリレートである、本発明1007の方法。
[本発明1039]
Lが、1つのヒドロキシ部分によって置換されたC3アルキルであり、かつAがアクリレートまたはメタクリレートである、本発明1007の方法。
[本発明1040]
Lが式-CH2CH(OH)CH2-によって表され、かつAがアクリレートまたはメタクリレートである、本発明1007の方法。
[本発明1041]
第二モノマーが式（III）によって表される、本発明1011の方法：
2015502764.tif 000010
式中、XがHまたはCH3である。
[本発明1042]
Lが、1つ、2つ、3つ、または4つのヒドロキシ部分によって置換されたC1〜C5アルキルであり、かつAがアクリレートまたはメタクリレートである、本発明1025の方法。
[本発明1043]
Lが、1つのヒドロキシ部分によって置換されたC1〜C5アルキルであり、かつAがアクリレートまたはメタクリレートである、本発明1025の方法。
[本発明1044]
Lが式-CH2CH(OH)CH2-によって表され、かつAがアクリレートまたはメタクリレートである、本発明1025の方法。
[本発明1045]
第二モノマーが式（III）によって表される、本発明1025の方法：
2015502764.tif 000011
式中、XがHまたはCH3である。
[本発明1046]
Lが、1つ、2つ、3つ、または4つのヒドロキシ部分によって置換されたC1〜C5アルキルであり、かつAがアクリレートまたはメタクリレートである、本発明1036のレンズ。
[本発明1047]
Lが、1つのヒドロキシ部分によって置換されたC1〜C5アルキルであり、かつAがアクリレートまたはメタクリレートである、本発明1036のレンズ。
[本発明1048]
Lが、式-CH2CH(OH)CH2-によって表され、かつAがアクリレートまたはメタクリレートである、本発明1036のレンズ。
[本発明1049]
第二モノマーが式（III）によって表される、本発明1036のレンズ：
2015502764.tif 000012
式中、XがHまたはCH3である。